(57)【特許請求の範囲】
【請求項１】
熱硬化性樹脂化粧板から成る化粧材であって、
少なくとも一部の端面は、板厚方向と平行な断面で見たとき、曲面形状を有し、
前記端面の、反対側の端面に向う方向での奥側に、熱可塑性樹脂を含む樹脂組成物を含むことを特徴とする化粧材。
【請求項２】
前記端面は、板厚方向における全体にわたって曲面形状を有することを特徴とする請求項１に記載の化粧材。
【請求項３】
前記化粧材の表面を覆う化粧層と、
前記樹脂組成物が前記化粧材の表面に露出している露出部と、
を備え、
前記露出部上に前記化粧層の不連続部が存在することを特徴とする請求項１又は２に記載の化粧材。
【請求項４】
前記端面から前記樹脂組成物までの厚みｔと、前記化粧材の板厚Ｔとについて、下記の数式（１）が成立することを特徴とする請求項１〜３のいずれか１項に記載の化粧材。
【数１】
0005878661.tif 000008
【請求項５】
前記樹脂組成物が無機充填材を含むことを特徴とする請求項１〜４のいずれか１項に記載の化粧材。
【請求項６】
前記熱可塑性樹脂が、エチレン酢酸ビニル共重合体、スチレン系樹脂、ポリオレフィン系樹脂、及びポリアミド系樹脂から成る群から選ばれる１種以上であることを特徴とする請求項１〜５のいずれか１項に記載の化粧材。
【請求項７】
化粧層及びコア層を含む積層体であることを特徴とする請求項１〜６のいずれか１項に記載の化粧材。
【請求項８】
前記化粧層は樹脂含浸化粧紙から成り、前記コア層はプリプレグ／又は樹脂含浸コア紙から成ることを特徴とする請求項７記載の化粧材。
【請求項９】
不燃性樹脂化粧板であることを特徴とする請求項１〜７のいずれか１項に記載の化粧材。
【請求項１０】
請求項１〜９のいずれか１項に記載の化粧材の製造方法であって、
前記曲面形状を形成する前の前記化粧材において、その端面を含む範囲を、板厚方向における一方の面から、その反対側の面に向けて、所定の厚みの残存部を残して切削する工程と、
前記残存部上に前記樹脂組成物を配置する工程と、
前記残存部を曲げ加工し、前記残存部と、前記切削により生じた切削端面とで前記樹脂組成物を包む工程と、
を含むことを特徴とする化粧材の製造方法。
【請求項１１】
前記残存部の板厚は、前記残存部の先端側よりも、前記切削端面側の方が薄いことを特徴とする請求項１０に記載の化粧材の製造方法。
【請求項１２】
前記曲げ加工の前における前記残存部と、前記切削端面とが成す角度は鋭角であることを特徴とする請求項１０又は１１に記載の化粧材の製造方法。
【請求項１３】
壁面下地と、
前記壁面下地に取り付けられた請求項１〜９のいずれか１項に記載の化粧材と、
を備えることを特徴とする壁面構造。
【発明の詳細な説明】
【技術分野】
【０００１】
本発明は、化粧材、化粧材の製造方法、及び壁面構造に関する。
【背景技術】
【０００２】
従来、メラミン樹脂化粧板等の化粧材が種々の用途に使用されている（特許文献１〜４参照）。化粧材を壁面に施工する方法として、化粧材と化粧材との間に一定の隙間を設けて張る、いわゆる「目透かし」や、化粧材と化粧材とを突合せて（化粧材間に隙間を設けずに）張る、いわゆる「突付け」がある。
【先行技術文献】
【特許文献】
【０００３】
【特許文献１】特開２００４−３５８８７３号公報
【特許文献２】特開２００５−２７１４８９号公報
【特許文献３】特開２００８−０６２３８５号公報
【特許文献４】特開２００４−２５５２３号公報
【発明の概要】
【発明が解決しようとする課題】
【０００４】
化粧材は寸法収縮することがある。「目透かし」の方法で施工された化粧材に寸法収縮が生じると、化粧材間の隙間にばらつきが発生し、見栄えがよくない。また、「突付け」の方法で施工された化粧材に寸法収縮が生じると、本来は無いはずの、化粧材間の隙間が発生し、見栄えがよくない。
【０００５】
本発明はかかる状況に鑑みなされたものであり、化粧材を施工した部分の見栄えを改善できる化粧材、化粧材の製造方法、及び壁面構造を提供することを目的とする。
【課題を解決するための手段】
【０００６】
本発明の化粧材は、熱硬化性樹脂化粧板から成る。また、本発明の化粧材における少なくとも一部の端面は、板厚方向と平行な断面で見たとき、曲面形状を有する。そのため、本発明の化粧材を「目透かし」の方法で施工した場合、化粧材間の隙間におけるばらつきが目立ちにくく、化粧材を施工した部分の見栄えがよい。また、本発明の化粧材を「突き付け」の方法で施工した場合、化粧材間に隙間が発生してもそれが目立ちにくく、化粧材を施工した部分の見栄えがよい。
【０００７】
本発明の化粧材の製造方法は、前記曲面形状を形成する前の前記化粧材において、その端面を含む範囲を、板厚方向における一方の面から、その反対側の面に向けて、所定の厚みの残存部を残して切削する工程と、前記残存部上に前記樹脂組成物を配置する工程と、前記残存部を曲げ加工し、前記残存部と、前記切削により生じた切削端面とで前記樹脂組成物を包む工程と、を含むことを特徴とする。本発明の製造方法によれば、上記の化粧材を容易に製造することができる。
【０００８】
本発明の壁面構造は、壁面下地と、前記壁面下地に取り付けられた上記の化粧材と、を備えることを特徴とする。本発明の壁面構造は、上記の化粧材を用いることにより、見栄えがよい。
【図面の簡単な説明】
【０００９】
【図１】化粧材１の構成を表す断面図である。
【図２】両側の端面３が曲面形状を有する化粧材１の構成を表す断面図である。
【図３】露出部及び不連続部が存在しない化粧材１の構成を表す断面図である。
【図４】化粧材１の積層構造を表す断面図である。
【図５】化粧材１の積層構造を表す断面図である。
【図６】化粧材１の積層構造を表す断面図である。
【図７】図７Ａ〜図７Ｈは、化粧材１の製造工程を表す説明図である。
【図８】化粧材１の製造工程を表す説明図である。
【図９】壁面構造を表す断面図である。
【発明を実施するための形態】
【００１０】
本発明の実施形態を説明する。
１．化粧材
本発明の化粧材における少なくとも一部の端面は、板厚方向と平行な断面で見たとき、曲面形状を有する。曲面形状を有することにより、「目透かし」の方法で施工をした場合、化粧材間の隙間におけるばらつきが目立ちにくく、「突き付け」の方法で施工した場合、化粧材間に隙間が生じてもそれが目立ちにくい。また、曲面形状を有することにより、化粧材の端面において破損が生じにくい。
【００１１】
化粧材の一例として、図１に示す化粧材１が挙げられる。図１は、化粧材１の板厚方向と平行であり、且つ化粧材１の長手方向と平行な断面での断面図である。化粧材１の基本的な形状は、板状である。化粧材１は、例えば、その表面を覆う化粧層７及びコア層９を含む積層体である。化粧材１の端面３は、板厚方向と平行な断面で見たとき、曲面形状を有する。曲面形状は、例えば、外側に張り出した曲面形状であり、略円弧形状である。
【００１２】
化粧材１の外縁を構成する各辺のうち、一部の辺における端面３が曲面形状を有していてもよいし、全ての辺における端面３が曲面形状を有していてもよい。例えば、図２に示すように、両側の辺における端面３がそれぞれ曲面形状を有していてもよいし、片側の辺における端面が曲面形状を有していてもよい。図２は、化粧材１の板厚方向と平行であり、且つ化粧材１の長手方向と平行な断面での断面図である。
【００１３】
本発明の化粧材は、端面の奥側に、熱可塑性樹脂を含む樹脂組成物を有することが好ましい。樹脂組成物は衝撃を吸収する特性を有するので、本発明の化粧材が樹脂組成物を有する場合、化粧材の耐衝撃性が向上する。樹脂組成物は熱可塑性樹脂を含むので、製造時に充填することが容易である。
【００１４】
樹脂組成物５の形態は、例えば、図１、図２に示すものとすることができる。樹脂組成物５は、例えば、化粧材１の表面に露出している露出部１１を備える。露出部１１の位置は、例えば、端面３から外れた位置であって、端面３の近傍の位置にある。  
【００１５】
化粧層７は、例えば、露出部１１上に不連続部１３を有する。不連続部１３としては、例えば、化粧層７が存在しない部分、切れ目を境として、その両側の化粧層７が分離している部分等が挙げられる。化粧層７が露出部１１上に不連続部１３を有する場合、端面３が押圧され、樹脂組成物５が弾性変形しても、化粧層７にクラックが入りにくい。
【００１６】
これに対し、図３に示すように、樹脂組成物５はコア層９の表面に露出しているが、化粧層７により樹脂組成物５が覆われている場合、端面３が押圧され、樹脂組成物５が弾性変形すると、化粧層７にクラックが入りやすい。
【００１７】
図１に示すように、化粧材１のうち、端面３と樹脂組成物５とに挟まれた端部１５は、例えば、コア層９の一部と化粧層７とから成る。この場合、化粧材１の耐衝撃性が向上する。また、端部１５は、コア層９を含まず、化粧層７から成っていてもよい。この場合、化粧層７が十分な厚みを有することが好ましい。
【００１８】
端部１５の厚み（端面３から樹脂組成物５までの厚み）ｔと、化粧材１の板厚Ｔとについて、下記の数式（１）が成立することが望ましい。数式（１）が成立する場合、後述する方法で容易に化粧材１を製造することができる。
【００１９】
【数１】
0005878661.tif 000002
【００２０】
樹脂組成物は、熱可塑性樹脂とともに、無機充填材を含むことが好ましい。無機充填材を含む場合、化粧材の耐熱性が向上する。樹脂組成物において、無機充填材の配合量は、熱可塑性樹脂の配合量より多いことが好ましい。例えば、熱可塑性樹脂と無機充填材との重量比は、２５〜４５：７５〜５５の範囲内であることが好ましく、３０〜４０：７０〜６０の範囲内であることが一層好ましい。この範囲内である場合、樹脂組成物と、化粧材における他の部材との密着性がよい。また、この範囲内である場合、有機成分が少なくなるため、化粧材の耐熱性が一層向上する。
【００２１】
無機充填材を含む樹脂組成物の溶融粘度は、２００℃において１５〜３０Ｐａ・ｓ（ブルックフィールド型粘度計、０．５ｒｐｍ／２５℃）であることが好ましい。
無機充填材として、水酸化アルミニウム、水酸化マグネシウム、フュームドシリカ、シリカ、重質炭酸カルシウム、軽微性炭酸カルシウム、半膠質炭酸カルシウム、膠質炭酸カルシウム、炭酸マグネシウム、クレー、タルク、フライアッシュ、燐酸ガラス等が挙げられる。これらを樹脂組成物に配合すると、化粧材の耐熱性が向上する。
【００２２】
無機充填材として、平均粒子径０．０５〜２０μｍ（より好ましくは１〜１５μｍ）の重質炭酸カルシウムや、水酸化アルミニウムが好ましい。なお、軽質炭酸カルシウムとは石灰石を焼成し化学的に製造される炭酸カルシウムを意味し、重質炭酸カルシウムとは白色結晶質石灰石を乾式又は湿式粉砕して造った微粉炭酸カルシウムを意味する。
【００２３】
樹脂組成物に含まれる熱可塑性樹脂としては、例えば、エチレン酢酸ビニル共重合体（ＥＶＡ系樹脂）、スチレン系樹脂、ポリオレフィン系樹脂、及びポリアミド系樹脂から成る群から選ばれる１種以上が挙げられる。熱可塑性樹脂は、上記の群から選択した２種以上の混合樹脂であってもよい。
【００２４】
ＥＶＡ系樹脂としては、エチレンと酢酸ビニルとを重合させたＥＶＡ共重合体、ＥＶＡ共重合体を加水分解させて得られるＥＶＡ加水分解物、ＥＶＡ共重合体に他の成分をグラフト重合させたＥＶＡグラフトターポリマー等が挙げられる。
【００２５】
スチレン系樹脂としては、スチレン−イソプレン−スチレンブロック共重合体（ＳＩＳ）、スチレン−ブタジエン−スチレンブロック共重合体（ＳＢＳ）、スチレン−エチレン−ブタジエン−スチレンブロック共重合体（ＳＥＢＳ）、α−メチルスチレン−ブタジエン−α−メチルスチレンブロック共重合体、α−メチルスチレン−イソプレン−α−メチルスチレンブロック共重合体や、これらの水素添加変性物、例えばスチレン−エチレン−（エチレン−プロピレン）−スチレンブロック共重合体（ＳＥＥＰＳ）、スチレン−エチレン−プロピレン−スチレンブロック共重合体（ＳＥＰＳ）等が挙げられる。
【００２６】
ポリオレフィン系樹脂としては、ポリエチレン、ポリプロピレン、ポリブテン−１又はポリメチルペンテン等のα−オレフィンの単独重合体、α−オレフィンと他の共重合可能なモノマーとの共重合体等が挙げられ、中でも流動性が良く、耐熱性、低温接着性に優れるアモルファスポリオレフィンが好ましい。
【００２７】
アモルファスポリオレフィンは、プロピレン単独重合、あるいは、プロピレンとエチレンやブテン−１等の他のオレフィンを共重合した非晶性のオレフィン系ポリマーである。アモルファスポリオレフィンの具体例としては、プロピレン・エチレン共重合体、プロピレン・ブテン−１共重合体、プロピレン・ブテン−１・エチレン・３元共重合体、プロピレン・ヘキセン−１・オクテン−１・３元樹脂、プロピレン・ヘキセン−１・４−メチルペンテン−１・３元共重合体、プロピレン・ヘキセン−１・４−メチルペンテン−１・３元共重合体、ポリブテン−１等が挙げられる。
【００２８】
ポリオレフィン系樹脂のＧＰＣ（ゲルパーミエーシヨンクロマトグラフィー）法による重量分子量（Ｍｗ）は、２００００〜５００００（好ましくは３００００〜４００００）であることが好ましく、１９０℃における粘度は、１５００〜４０００（より好ましくは２０００〜３５００）ｃＰであることが好ましく、ガラス転移点は、０℃以下であることが好ましい。
【００２９】
上記の物性を有するポリオレフィン系樹脂を用いれば、樹脂組成物の弾性、凝集力、耐熱性、流動性が一層適切になる。ポリオレフィン系樹脂の市販品としては、ウベタックＵＴ２７８０（宇部レキセン社製、商品名）、レクスタックＲＴ２２８０（ハンツマン社製、商品名）、ベストプラスト７０３（デグサ社製、商品名）等が挙げられる。
【００３０】
スチレン系樹脂、ポリオレフィン系樹脂は、いずれか一方を単独で用いてもよいし、両者を併用してもよい。両者を併用すると、樹脂組成物と、化粧材における他の部材との密着性が向上し、化粧材の耐熱性が向上する。両者を併用する場合、スチレン系樹脂とポリオレフィン系樹脂との配合割合（重量比）は、６０〜７５：４０〜２５の範囲内が好ましい。この範囲内である場合、未硬化の状態における樹脂組成物の流動性が一層適切になる。
【００３１】
ポリアミド系樹脂は、ダイマー酸と呼ばれる二塩基酸とジアミンとを反応させた樹脂である。ポリアミド系樹脂としては、例えば、トール油脂肪酸、大豆油脂肪酸等の不飽和脂肪酸にアジピン酸、アゼライン酸、セバチン酸等を添加し、さらにエチレンジアミン、ヘキサメチレンジアミン、イソフオロンジアミン、キシレンジアミン、４−４´−ジアミノ、シクロヘキシルメタン、Ｐ−Ｐ´−メチレンジアニリン、ビベラジン、トリメチルヘキサメチレンジアミン、アルカノールアミン等を反応させたものが挙げられる。ポリアミド系樹脂の環球法軟化点は、５０〜２００℃の範囲内が好ましい。ポリアミド系樹脂の市販品としては、ヘンケル日本（株）製の商品名バーサロン、富士化成工業（株）製の商品名トーマイド等がある。
【００３２】
特に好適な熱可塑性樹脂は、硬度、接着性、コスト等の面から、スチレン系樹脂やポリオレフィン系樹脂である。
樹脂組成物の硬度は、コア層よりも低いことが好ましい。また、化粧材が熱硬化性樹脂化粧板である場合、樹脂組成物の軟化温度は、熱硬化性樹脂化粧板の耐熱温度よりも低いことが好ましい。例えば、樹脂組成物の軟化温度は１１０〜１７５℃程度であり、熱硬化性樹脂化粧板のＪＩＳＫ６９０２に基づく耐熱性が１８０℃以上であることが好ましい。
【００３３】
また、樹脂組成物の硬度は、ＪＩＳ  Ａタイプで６５〜８５°が好ましい。樹脂組成物の硬度が上記の範囲内である場合、端面の耐衝撃性が一層優れたものとなり、通常の施工作業時に圧力が加わっても打痕や凹みを生じにくい。
【００３４】
本発明の化粧材は、例えば、熱硬化性樹脂化粧板（例えば不燃性樹脂化粧板）とすることができる。熱硬化性樹脂化粧板である化粧材としては、例えば、図４に示す化粧材１が挙げられる。この化粧材１は、化粧層７と、コア層９とを含む。なお、図４では、端面の記載は省略している。
【００３５】
図４に示す化粧材１において、化粧層７は、例えば、化粧板用の化粧紙に熱硬化性樹脂を主成分とする樹脂液を含浸し、乾燥した樹脂含浸化粧紙である。また、コア層９は、プリプレグ１７を複数積層したものである。プリプレグ１７は、例えば、無機繊維、有機繊維等の繊維質基材に、熱硬化性樹脂から成るバインダー成分及び無機充填材を含むスラリーを含浸し、乾燥したものである。
【００３６】
また、熱硬化性樹脂化粧板である化粧材としては、例えば、図５に示す化粧材１が挙げられる。この化粧材１は、化粧層７と、コア層９とを含む。なお、図５では、端面の記載は省略している。
【００３７】
図５に示す化粧材１において、化粧層７は、例えば、化粧板用の化粧紙に熱硬化性樹脂を主成分とする樹脂液を含浸し、乾燥した樹脂含浸化粧紙である。また、コア層９は、例えば、樹脂含浸コア紙１９を複数積層したものである。樹脂含浸コア紙１９は、例えば、晒しクラフト紙、又は未晒しクラフト紙に熱硬化性樹脂を主成分とする樹脂液を含浸し、乾燥したものである。
【００３８】
また、熱硬化性樹脂化粧板である化粧材としては、例えば、図６に示す化粧材１が挙げられる。この化粧材１は、化粧層７と、コア層９と、バランス層２１とを含む。化粧層７は化粧材１の片面に設けられ、バランス層２１は反対の面に設けられている。なお、図６では、端面の記載は省略している。
【００３９】
化粧層７は、例えば、化粧板用の化粧紙に熱硬化性樹脂を主成分とする樹脂液を含浸し、乾燥した樹脂含浸化粧紙である。コア層９は、例えば、樹脂含浸コア紙１９を複数積層したものである。樹脂含浸コア紙１９は、例えば、晒しクラフト紙、又は未晒しクラフト紙に熱硬化性樹脂を主成分とする樹脂液を含浸し、乾燥したものである。
【００４０】
熱硬化性樹脂化粧板である化粧材の中でも、不燃性樹脂化粧板である化粧材が好ましく、特に、不燃性メラミン樹脂化粧板である化粧材が好ましい。不燃性メラミン樹脂化粧板である化粧材は、耐熱性、耐摩耗性、強度等において優れる。
【００４１】
なお、不燃性メラミン樹脂化粧板は、ＩＳＯ５６６０に準拠したコーンカロリーメーターによる２０分試験の発熱性試験を行い、以下のα〜γの全てを充足したものをいう。
α：総発熱量が８ＭＪ／ｍ２以下である。
【００４２】
β：最高発熱速度が１０秒以上継続して２００ＫＷ／ｍ２を超えない。
γ：試験開始後２０分間、裏面まで貫通する亀裂および穴の発生がない。
不燃性樹脂化粧板は、例えば、化粧層として、メラミン樹脂含浸化粧紙、ジアリルフタレート樹脂含浸化粧紙、ジアリルフタレート−不飽和ポリエステル系樹脂含浸化粧紙等を用いることができる。また、不燃性樹脂化粧板は、コア層として、例えば、熱硬化性樹脂から成るバインダー成分及び無機充填材を含むスラリーを含浸し、乾燥したプリプレグを用いることができる。
【００４３】
上記のバインダー成分における有機樹脂（熱硬化性樹脂）と無機充填剤との配合割合は、５〜２０：９５〜８０の範囲内が好ましい。有機樹脂に対して無機充填剤が多くなると不燃性能が向上するものの密着性が低下しやすく、また、無機充填剤が少なくなると密着性が向上するものの不燃性能が低下しやすくなる。
【００４４】
２．化粧材の製造方法
本発明の化粧材は例えば、以下の方法で製造できる。まず、図７Ａに示すように、加工前の化粧材（以下では未加工化粧材とする）２３を用意する。この未加工化粧材２３は、化粧層７とコア層９とを含む積層体であり、熱圧一体化により製造されたものである。未加工化粧材２３の端面２５は平坦な形状を有する。未加工化粧材２３の板厚をＴとする。
【００４５】
次に、図７Ｂに示すように、未加工化粧材２３のうち、端面２５を含む範囲２７を、板厚方向における一方の面２９から、反対側の面３１に向けて、所定の厚みの残存部３３を残して切削する。残存部３３は、例えば、コア層９の一部と、化粧層７とを含む。この切削により、切削端面３４が生じる。このとき、残存部３３と切削端面３４とが成す角度は鋭角であることが好ましい。鋭角である場合、以降の工程が容易になる。
【００４６】
残存部３３の板厚は、その先端３５側よりも、切削端面側３４側の方が薄くなっている。残存部３３の最薄部３７における厚みをｔとする。厚みｔと板厚Ｔとについて、下記の数式（１）が成立することが好ましい。
【００４７】
【数１】
0005878661.tif 000003
【００４８】
数式（１）が成立する場合、後述する工程で、残存部３３を曲げ加工するとき、残存部３３が破損しにくく、端面の形状において十分小さいＲ（曲率半径、単位はｍｍ）を実現できる。
【００４９】
次に、図７Ｃに示すように、赤外線ヒーター３９を用いて、最薄部３７付近を２０〜１４０℃になるまで加熱する。加熱することにより、残存部３３が軟化するので、後述する工程で残存部３３を曲げ加工するとき、残存部３３にクラックが入ったり、残存部３３が割れたりすることを抑制できる。また、加熱することにより、後述する工程で使用する樹脂組成物の流動性を向上させ、固化を抑制することができる。その結果、樹脂組成物の接着力が向上する。
【００５０】
次に、加熱を停止し、図７Ｄに示すように、アプリケーターから樹脂組成物５を吐出し、残存部３３上に配置する。樹脂組成物５の位置は、残存部３３のうち、切削端面３４側の位置である。このとき、樹脂組成物５の温度は１００〜１９０℃である。
【００５１】
次に、図７Ｅ〜図７Ｇに示すように、治具等で押圧しながら残存部３３を曲げ加工し、残存部３３と切削端面３４とで樹脂組成物５を挟む。このとき、赤外線ヒーター３９を用いて、残存部３３の表面側の温度が１２０〜１８０℃の温度で維持されるように加熱する。曲げ加工は、残存部３３が面２９に接するまで行う。樹脂組成物５は、切削端面３４及び残存部３３を接着するので、残存部３３に対する押圧を解除しても、曲げ加工後の形態が維持される。
【００５２】
曲げ加工の終了後、加熱を止め、残存部３３、及び樹脂組成物５を冷却する。次に、樹脂組成物５を硬化させた後、図７Ｈに示すように、残存部３３のうち、余分な部分を裁断し、裁断した部分をトリミングカッターで仕上げて、化粧材１を完成する。
【００５３】
製造された化粧材１は、曲面形状の端面３を有する。端面３は、曲げ加工された残存部３３のうち、元々、面３１側にあった面である。化粧材１は、端面３の奥側に樹脂組成物５を有する。化粧材１において、端部１５は、残存部３３（特に最薄部３７）により構成される。端部１５は、例えば、コア層９の一部と化粧層７とを含む。樹脂組成物５は露出部１１を備える。化粧層７は露出部１１上には存在しない（化粧層７の不連続部１３が存在する）。
【００５４】
上述した製造方法において、未加工化粧材２３を切削するとき、まず、図８に示す形状となるように一次切削を行ってもよい。この段階では、残存部３３の厚みはどこでも一定である。次に、残存部３３のうち、切削端面３４側を二次切削し、最薄部３７を形成して、図７Ｂに示す形状を実現してもよい。
【００５５】
３．壁面構造
本発明の壁面構造は、壁面下地と、その壁面下地に取り付けられた化粧材とを備える。壁面構造としては、例えば、図９に示すように、壁面下地４１に、接着剤４３を用いて化粧材１を取り付けたものが挙げられる。化粧材１を取り付ける方法は、図９に示す「突き付け」であってもよいし、「目透かし」であってもよい。
【００５６】
本発明の壁面構造においては、化粧材１の端面３が曲面形状を有するため、「目透かし」の場合、化粧材間の隙間におけるばらつきが目立ちにくく、「突き付け」の場合、化粧材間に隙間が生じたとしてもその隙間が目立ちにくい。また、化粧材１の端面３において破損が生じにくい。
（実施例１）
１．化粧材１の構成
本実施例の化粧材１は図１に示す構成を有する。化粧材１の基本的な形状は、後述する端面３を除き、一定の板厚を有する板状である。化粧材１は、その板厚方向から見たとき、長方形の形状を有する。図１は、板厚方向と平行な断面であって、長方形の長辺に平行な断面での断面図である。
【００５７】
化粧材１は、その表面を覆う化粧層７及びコア層９を含む積層体である。化粧材１における一方の端面３は、板厚方向と平行な断面で見たとき、曲面形状を有する。曲面形状は、さらに詳しくは、外側に張り出した曲面形状であり、略円弧形状である。なお、化粧材１の他の３辺における端面は平坦な形状を有する。
【００５８】
化粧材１は、端面３の奥側に、熱可塑性樹脂を含む樹脂組成物５を有する。樹脂組成物５における端面３側の表面５Ａは、端面３と同様の曲面形状を有する。樹脂組成物５における端面３とは反対側の表面５Ｂは平坦面である。表面５Ｂは、化粧材１の主面に対し傾斜している。
【００５９】
樹脂組成物５は、化粧材１の表面に露出している露出部１１を備える。露出部１１は、端面３から外れた位置であって、端面３の近傍の位置にある。  
化粧層７は、露出部１１上に、不連続部１３を有する。不連続部１３は、化粧層７が存在しない部分である。化粧材１のうち、端面３と樹脂組成物５とに挟まれた端部１５は、コア層９の一部と化粧層７とから成る。端部１５の厚み（端面３から樹脂組成物５までの厚み）ｔと、化粧材１の板厚Ｔとについて、下記の数式（１）が成立する。
【００６０】
【数１】
0005878661.tif 000004
【００６１】
化粧材１は、不燃性メラミン樹脂化粧板である。化粧材１は、端面３の付近を除き、図４に示す構造を有する。化粧材１は、表側の化粧層７（１枚）、プリプレグ１７（５枚）、及び裏側の化粧層７（１枚）を積層し、１４０℃、１００ｋｇ／ｃｍ２、９０分間の条件で熱圧一体化したものである。５枚のプリプレグ１７はコア層９を形成する。
【００６２】
表側及び裏側の化粧層７は、木目柄印刷紙にメラミン樹脂を含浸し、乾燥した厚み０．１ｍｍのメラミン樹脂含浸化粧紙からなる化粧層である。プリプレグ１７は、メラミン樹脂（８重量部）を含むバインダー成分、及び平均粒子径１２μｍの水酸化アルミニウム（７５重量部）を含むスラリーをガラス繊維不織布に含浸し、乾燥させたものである。スラリーにおけるバインダー成分と水酸化アルミニムの固形分との重量比は５：６５である。
【００６３】
化粧材１の板厚Ｔは３ｍｍであり、耐熱性２０４℃合格の特性を有する。
樹脂組成物５は、以下の組成を有する。
スチレン−エチレン−ブタジエン−スチレンブロック共重合体（ＳＥＢＳ）（ＳＥＰＴＯＮ（登録商標）８０７６、商品名、株式会社クラレ製）：３７重量部
平均粒子径５μｍのタルク６３：重量部
なお、ＳＥＢＳは  熱可塑性樹脂の一例であり、スチレン系樹脂の一例である。タルクは無機充填材の一例である。
【００６４】
２．化粧材１の製造方法
未加工化粧材２３を用い、上述した製造方法（図７Ａ〜図７Ｈ参照）により、化粧材１を製造した。未加工化粧材２３は、端面付近を除き、化粧材１と同様の構成を有する。化粧材１の具体的な製造条件は以下のとおりとした。
【００６５】
図７Ｂに示す切削工程において、範囲２７の長さは１５ｍｍとし、切削する深さは２．２ｍｍとした。また、最薄部３７における厚みｔは０．３ｍｍとした。図７Ｃに示す工程において、最薄部３７の温度は１３０℃とした。図７Ｄに示す工程において、樹脂組成物５の温度は１４０℃とした。図７Ｅ〜図７Ｈに示す工程において、残存部３３の表面側の温度は１８０℃に維持した。
（実施例２）
樹脂組成物の組成以外の点では前記実施例１と同様に、化粧材を製造した。本実施例の樹脂組成物では、ＳＥＢＳの配合量は３５重量部であり、タルクの配合量は６５重量部である。
（実施例３）
樹脂組成物の組成以外の点では前記実施例１と同様に、化粧材を製造した。本実施例の樹脂組成物は以下の組成を有する。
【００６６】
プロピレンを構成単位とするアモルファスポリα−オレフィン（エチレン・プロピレン・１−ブテン共重合体、ＶＥＳＴＯＰＬＡＳＴ（登録商標）７０３、デグサ社製、商品名、重量平均分子量３４０００ｇ／ｍｏｌ、粘度２０００〜３４００ｃＰ／１９０℃、ガラス転移温度（Ｔｇ）−２８℃）：３７重量部
平均粒子径５μｍの重質炭酸カルシウム：６３重量部
なお、プロピレンを構成単位とするアモルファスポリα−オレフィンはポリオレフィン系樹脂の一例である。平均粒子径５μｍの重質炭酸カルシウムは無機充填材の一例である。
（実施例４）
樹脂組成物の組成以外の点では前記実施例１と同様に、化粧材を製造した。本実施例の樹脂組成物は以下の組成を有する。
【００６７】
ＳＥＢＳ：２１重量部
アモルファスポリα−オレフィン：１０重量部
平均粒子径５μｍの重質炭酸カルシウム：６９重量部
なお、ＳＥＢＳは前記実施例１と同様のものである。アモルファスポリα−オレフィンは前記実施例３と同様のものである。平均粒子径５μｍの重質炭酸カルシウムは無機充填材の一例である。
（実施例５）
樹脂組成物の組成以外の点では前記実施例１と同様に、化粧材を製造した。本実施例の樹脂組成物は以下の組成を有する。
【００６８】
ＳＥＢＳ：２７重量部
アモルファスポリα−オレフィン：６重量部
平均粒子径５μｍの重質炭酸カルシウム：６７重量部
なお、ＳＥＢＳは前記実施例１と同様のものである。アモルファスポリα−オレフィンは前記実施例３と同様のものである。
（実施例６）
樹脂組成物の組成以外の点では前記実施例１と同様に、化粧材を製造した。本実施例の樹脂組成物は以下の組成を有する。
【００６９】
ＳＥＢＳ：２４重量部
アモルファスポリα−オレフィン：６重量部
平均粒子径５μｍの重質炭酸カルシウム：７０重量部
なお、ＳＥＢＳは前記実施例１と同様のものである。アモルファスポリα−オレフィンは前記実施例３と同様のものである。
（実施例７）
樹脂組成物の組成以外の点では前記実施例１と同様に、化粧材を製造した。本実施例の樹脂組成物では、ＳＥＢＳの配合量は４５重量部であり、タルクの配合量は５５重量部である。
（実施例８）
樹脂組成物の組成以外の点では前記実施例１と同様に、化粧材を製造した。本実施例の樹脂組成物は、エチレン−酢酸ビニル共重合体（ＥＶＡ）を主成分として、粘着付与樹脂を含むものである。
（実施例９）
樹脂組成物の組成以外の点では前記実施例１と同様に、化粧材を製造した。本実施例の樹脂組成物は以下の組成を有する。
【００７０】
トーマイド（登録商標）５０９（商品名、Ｔ＆Ｋ  ＴＯＫＡ）：８０重量部
トーマイド２４１（商品名、Ｔ＆Ｋ  ＴＯＫＡ）：２０重量部
平均粒子径５μｍの水酸化アルミニウム：１６５重量部
リン酸ガラス（ＴＯＭＡＴＥＣ社製）：４０重量部
なお、トーマイド５０９及びトーマイド２４１はポリアミド系樹脂の一例である。水酸化アルミニウム及びリン酸ガラスは無機充填材の一例である。
（実施例１０）
樹脂組成物の組成以外の点では前記実施例１と同様に、化粧材を製造した。本実施例の樹脂組成物は以下の組成を有する。
【００７１】
ユーメックス（登録商標）１００ＴＳ（商品名、三洋化成工業社製）：４０重量部
アモルファスポリα−オレフィン：１８０重量部
平均粒子径５μｍのタルク：２００重量部
なお、ユーメックス１００ＴＳ及びアモルファスポリα−オレフィンはポリプロピレン系樹脂の一例である。タルクは無機充填材の一例である。
（実施例１１）
化粧材の長辺に平行な断面で見たとき、両側の端面３に曲面形状を形成した（図２参照）点以外は前記実施例１と同様に、化粧材１を製造した。
（実施例１２）
化粧材の長辺に平行な断面で見たとき、両側の端面３に曲面形状を形成した（図２参照）点以外は前記実施例２と同様に、化粧材１を製造した。
（実施例１３）
化粧材の長辺に平行な断面で見たとき、両側の端面３に曲面形状を形成した（図２参照）点以外は前記実施例３と同様に、化粧材１を製造した。
（実施例１４）
化粧材の長辺に平行な断面で見たとき、両側の端面３に曲面形状を形成した（図２参照）点以外は前記実施例４と同様に、化粧材１を製造した。
（実施例１５）
化粧材の長辺に平行な断面で見たとき、両側の端面３に曲面形状を形成した（図２参照）点以外は前記実施例５と同様に、化粧材１を製造した。
（実施例１６）
化粧材の長辺に平行な断面で見たとき、両側の端面３に曲面形状を形成した（図２参照）点以外は前記実施例６と同様に、化粧材１を製造した。
（実施例１７）
化粧材の長辺に平行な断面で見たとき、両側の端面３に曲面形状を形成した（図２参照）点以外は前記実施例７と同様に、化粧材１を製造した。
（実施例１８）
化粧材の長辺に平行な断面で見たとき、両側の端面３に曲面形状を形成した（図２参照）点以外は前記実施例８と同様に、化粧材１を製造した。
（実施例１９）
化粧材の長辺に平行な断面で見たとき、両側の端面３に曲面形状を形成した（図２参照）点以外は前記実施例９と同様に、化粧材１を製造した。
（実施例２０）
化粧材の長辺に平行な断面で見たとき、両側の端面３に曲面形状を形成した（図２参照）点以外は前記実施例１０と同様に、化粧材１を製造した。
（実施例２１）
基本的には前記実施例１５と同様に、化粧材１を製造した。ただし、本実施例では、未加工化粧材２３として以下のものを用いた。
【００７２】
未加工化粧材２３は、板厚３ｍｍ、耐熱性１９４℃合格の不燃性メラミン樹脂化粧板である。未加工化粧材２３は、化粧層１枚、及びフェノール樹脂含浸紙１３枚を積層し、１４０℃、１００ｋｇ／ｃｍ２、９０分間の条件で熱圧一体化したものである。
【００７３】
フェノール樹脂含浸紙１３枚はコア層を形成する。化粧層は、木目柄印刷紙にメラミン樹脂を含浸し、乾燥して成るメラミン樹脂含浸化粧紙である。化粧層の厚みは０．１ｍｍである。フェノール樹脂含浸紙は、クラフト紙にフェノール−ホルムアルデヒド樹脂を含浸し、乾燥させたものである。
（実施例２２）
基本的には前記実施例１５と同様に、化粧材１を製造した。ただし、本実施例では、未加工化粧材２３として以下のものを用いた。
【００７４】
未加工化粧材２３は、板厚３ｍｍ、耐熱性２０４℃合格の不燃性メラミン樹脂化粧板である。未加工化粧材２３は、化粧層１枚、プリプレグ５枚、及びメラミン樹脂含浸ガラス繊維不織布１枚を積層し、熱圧一体化したものである。
【００７５】
化粧層は、木目柄印刷紙にメラミン樹脂を含浸し、乾燥して成るメラミン樹脂含浸化粧紙である。化粧層の厚みは０．１ｍｍである。プリプレグ５枚はコア層を形成する。プリプレグは、メラミン樹脂を含むバインダー成分及び平均粒子径１２μｍの水酸化アルミニウムを含むスラリーをガラス繊維不織布に含浸、乾燥させたものである。
【００７６】
なお、スラリーにおけるバインダー成分と水酸化アルミニムの固形分との重量比は５：６５である。メラミン樹脂含浸ガラス繊維不織布は、ガラス繊維不織布にメラミン樹脂を含浸し、乾燥させたものである。
（化粧材の評価）
各実施例の化粧材について、軟化温度、溶融粘度、及び発熱量を測定し、曲げ性、及び接着性を評価した。測定方法、評価方法、及び評価基準は以下のとおりとした。
（１）軟化温度：環球法（ＪＩＳ  Ｋ  ２２０７  「石油アスファルト軟化点試験法」）基づいて測定した。
（２）溶融粘度：ブルックフィールド社製デジタル粘度計（型式：ＤＶＩ−Ｉ＋）を用いて、２００℃における溶融粘度（０．５ｒｐｍ）を測定した。
（３）発熱量：樹脂組成物に対してＩＳＯ５６６０に準拠したコーンカロリーメーターによる２０分試験の発熱性試験を行い、総発熱量を測定した。化粧材に対する樹脂組成物の充填量に基づき、樹脂組成物の単位量当りの発熱量に換算し、その発熱量が１．０ＭＪ／ｍ２以下未満であれば○、１．０ＭＪ／ｍ２以上であれば×とした。
（４）曲げ性：３Ｒの曲げ加工で異常が認められなかったものを○、クラックが認められたものを×とした。
（５）接着性：建研式引張り試験機で化粧層が界面剥離しないものを○とした。
【００７７】
評価結果を表１〜表３に示す。
【００７８】
【表１】
0005878661.tif 000005
【００７９】
【表２】
0005878661.tif 000006
【００８０】
【表３】
0005878661.tif 000007
【符号の説明】
【００８１】
１…化粧材、３…端面、５…樹脂組成物、７…化粧層、９…コア層、１１…露出部、１３…不連続部、１５…端部、１７…プリプレグ、１９…樹脂含浸コア紙、２１…バランス層、２３…未加工化粧材、２５…端面、２７…範囲、３３…残存部、３４…切削端面、３５…先端、３７…最薄部、３９…赤外線ヒーター、４１…壁面下地、４３…接着剤
【図１】
0005878661.tif 000009
【図２】
0005878661.tif 000010
【図３】
0005878661.tif 000011
【図４】
0005878661.tif 000012
【図５】
0005878661.tif 000013
【図６】
0005878661.tif 000014
【図７】
0005878661.tif 000015
【図８】
0005878661.tif 000016
【図９】
0005878661.tif 000017